(57)【要約】【課題】２画面表示の際に主画面および副画面についてのチャンネル切替や音量調整を確実かつ容易に行い得るテレビを提供する。【解決手段】１つのチャンネルの映像を表示部１１に表示させる１画面表示処理の実行時にチャンネル切替および音量調整以外の操作に割り当てられる所定のスイッチを少なくとも備えたリモコン３と、１画面表示処理並びに２つのチャンネルの各映像をそれぞれ主画面および副画面として表示部１１に表示させる２画面表示処理をリモコン３の操作に従って実行する主制御部１９とを備え、主制御部１９は、その所定のスイッチが２画面表示処理の実行時に操作されたときに、その所定のスイッチの操作に従い、主画面および副画面のいずれか一方についてのチャンネル切替および音量調整のいずれかを実行する。【選択図】図１
2006295280.tif 000002
【特許請求の範囲】
【請求項１】
１つのチャンネルの映像を表示部に表示させる１画面表示処理の実行時にチャンネル切替および音量調整以外の操作に割り当てられる所定のスイッチを少なくとも備えた操作部と、前記１画面表示処理並びに２つのチャンネルの各映像をそれぞれ主画面および副画面として当該表示部に表示させる２画面表示処理を前記操作部の操作に従って実行する制御部とを備えたテレビであって、
前記制御部は、前記所定のスイッチが前記２画面表示処理の実行時に操作されたときに、当該所定のスイッチの操作に従い、前記主画面および前記副画面のいずれか一方についての前記チャンネル切替および前記音量調整のいずれかを実行するテレビ。
【請求項２】
前記所定のスイッチは、カーソルキーで構成されている請求項１記載のテレビ。
【発明の詳細な説明】
【技術分野】
【０００１】
本発明は、１画面表示処理と２画面表示処理とを実行可能に構成されたテレビに関するものである。
【背景技術】
【０００２】
この種のテレビとして、特開２００３−１４３４３２号公報に開示されたテレビジョン受像機が知られている。このテレビジョン受像機では、２つのテレビ放送チャンネルの番組を主画面および副画面として２画面表示している状態において、チャンネル切替用のキー釦が操作された（押し下げられた）ときに、キー釦の操作時間の長短に基づいて主画面および副画面のいずれのチャンネルを切り替えるかを制御部が判別する。具体的には、制御部は、キー釦の操作時間が設定された時間（例えば１秒）以上のときには、副画面のチャンネルをそのキー釦に対応するチャンネルに切り替え、キー釦の操作時間が１秒よりも短いときには、主画面のチャンネルをそのキー釦に対応するチャンネルに切り替える。このため、このテレビジョン受像機では、チャンネルを切り替える際に、チャンネル切替の対象とする画面を専用の選択キー釦等を用いて選択する必要がない分だけ、操作の簡略化が可能となっている。
【特許文献１】特開２００３−１４３４３２号公報（第５−６頁、第１−３図）
【発明の開示】
【発明が解決しようとする課題】
【０００３】
ところが、上記のテレビ受像機には、以下の問題点がある。すなわち、このテレビ受像機では、制御部が、チャンネル切替の対象となる画面が主画面および副画面のいずれであるかをキー釦の操作時間の長短に基づいて判別している。このため、例えば、副画面のチャンネル切替を意図して、キー釦を長めに操作したつもりであっても、実際の操作時間が、設定された１秒よりも短かったときには、意図していない主画面のチャンネル切替が行われることとなる。このようなときには、主画面のチャンネルを元に戻すためのキー釦の操作と、副画面のチャンネルを切り替えるためのキー釦の再操作とを行う必要があり、却って操作が煩雑となる。
【０００４】
本発明は、かかる問題点に鑑みてなされたものであり、２画面表示の際に主画面および副画面についてのチャンネル切替や音量調整を確実かつ容易に行い得るテレビを提供することを主目的とする。
【課題を解決するための手段】
【０００５】
上記目的を達成すべく本発明に係るテレビは、１つのチャンネルの映像を表示部に表示させる１画面表示処理の実行時にチャンネル切替および音量調整以外の操作に割り当てられる所定のスイッチを少なくとも備えた操作部と、前記１画面表示処理並びに２つのチャンネルの各映像をそれぞれ主画面および副画面として当該表示部に表示させる２画面表示処理を前記操作部の操作に従って実行する制御部とを備えたテレビであって、前記制御部は、前記所定のスイッチが前記２画面表示処理の実行時に操作されたときに、当該所定のスイッチの操作に従い、前記主画面および前記副画面のいずれか一方についての前記チャンネル切替および前記音量調整のいずれかを実行する。
【０００６】
このテレビでは、１画面表示処理の実行時にチャンネル切替および音量調整以外の操作に割り当てられる所定のスイッチが２画面表示処理の実行時に操作されたときに、制御部が、その所定のスイッチの操作に従い、主画面および副画面のいずれか一方についてのチャンネル切替および音量調整のいずれかを実行する。このため、２画面表示の実行時において、チャンネルスイッチや音量調整スイッチを用いることなく、主画面および副画面のいずれか一方についてのチャンネル切替や音量調整を行うことができる。このため、主画面および副画面についてのチャンネル切替や音量調整を互いに異なるスイッチの操作で行うことができる。したがって、キー釦の操作時間の長短に基づいてチャンネル切替の対象となる画面が主画面および副画面のいずれであるかが判別される従来のテレビジョン受像機とは異なり、２画面表示の実行時における主画面および副画面についてのチャンネル切替や音量調整を確実かつ容易に行うことができる。
【０００７】
また、本発明に係るテレビは、上記のテレビにおいて、前記所定のスイッチは、カーソルキーで構成されている。
【０００８】
このテレビでは、２画面表示処理の実行時においてカーソルキーが操作されたときに、制御部が、主画面および副画面のいずれか一方についてのチャンネル切替および音量調整を実行する。この場合、一般的なカーソルキーには矢印が付されているため、チャンネルのアップダウンや音量の増減と各カーソルキーとの対応関係をこの矢印によって直感的に認識させることができる。したがって、このテレビ１によれば、操作ミスを確実に防止することができる。
【発明を実施するための最良の形態】
【０００９】
以下、本発明に係るテレビの最良の形態について、添付図面を参照して説明する。図１に示すテレビ１は、リアプロジェクションテレビであって、本体部２およびリモコン３を備えて構成されている。本体部２は、表示部１１、映像表示処理部１２、選局処理部１３、チューナ１４ａ，１４ｂ（以下、区別しないときには「チューナ１４」ともいう）、映像音声処理部１５ａ，１５ｂ（以下、区別しないときには「映像音声処理部１５」ともいう）、音量調整部１６、音声出力部１７ａ，１７ｂ（以下、区別しないときには「音声出力部１７」ともいう）、受光部１８および主制御部１９を備えている。
【００１０】
表示部１１は、図１に示すように、光学エンジン３１およびスクリーンパネル３２を備えている。光学エンジン３１は、本体部２の内部に配設されて、映像表示処理部１２から出力される表示用信号Ｓｅに基づいて変調した投射光Ｌをスクリーンパネル３２の背面側から投射する。具体的には、光学エンジン３１は、例えば、光源と、光変調素子（一例として、デジタルマイクロミラーデバイスや液晶ライトバルブ）と、投射レンズ（いずれも図示せず）とを備えている。なお、このテレビ１では、実際には、光学エンジン３１からの投射光Ｌが図外の反射ミラーによって反射されてスクリーンパネル３２に投射される。スクリーンパネル３２は、投射光Ｌを受光して映像を表示する。
【００１１】
映像表示処理部１２は、主制御部１９の制御に従い、映像音声処理部１５ａから出力された映像データＤｐに基づき、例えば、図２に示すように、テレビ映像Ｐｔ１（以下、映像の内容を区別しないときには「テレビ映像Ｐｔ」ともいう）を表示部１１のスクリーンパネル３２に１画面表示させるための表示用信号Ｓｅを生成して光学エンジン３１に出力する。また、映像表示処理部１２は、主制御部１９の制御に従い、映像音声処理部１５ａ，１５ｂからそれぞれ出力された映像データＤｐ，Ｄｐに基づき、例えば、図５に示すように、２つのテレビ映像Ｐｔ２，Ｐｔ３をそれぞれ主画面および副画面として表示部１１のスクリーンパネル３２に２画面表示させるための表示用信号Ｓｅを生成して光学エンジン３１に出力する。選局処理部１３は、主制御部１９の制御に従って制御信号Ｓｃ２を出力することにより、チューナ１４ａ，１４ｂおよび映像音声処理部１５ａ，１５ｂを制御する。
【００１２】
チューナ１４ａ，１４ｂは、選局処理部１３から出力された制御信号Ｓｃ２に従い、その制御信号Ｓｃ２によって指定されたチャンネルの放送信号Ｓｂを図外のアンテナで受信した放送波から抽出して、映像音声処理部１５ａ，１５ｂにそれぞれ出力する。映像音声処理部１５は、例えば、ＩＦ回路、音声検波回路、映像検波回路およびＡ／Ｄ変換部（いずれも図示せず）などを備えて構成されている。この場合、映像音声処理部１５ａは、チューナ１４ａから出力された放送信号Ｓｂに基づいて映像データＤｐおよび音声データＤｓを生成して、映像表示処理部１２および音声出力部１７ａにそれぞれ出力する。また、映像音声処理部１５ｂは、チューナ１４ｂから出力された放送信号Ｓｂに基づいて映像データＤｐおよび音声データＤｓを生成して、映像表示処理部１２および音声出力部１７ｂにそれぞれ出力する。
【００１３】
音量調整部１６は、主制御部１９の制御に従って制御信号Ｓｃ３を出力することにより、音声出力部１７ａ，１７ｂから出力される音声信号Ｓｓの音量（レベル）を調整する。音声出力部１７ａは、映像音声処理部１５ａから出力された音声データＤｓに基づいて音声信号Ｓｓを生成してスピーカ２０（図１，２参照）に出力する。音声出力部１７ｂは、映像音声処理部１５ｂから出力された音声データＤｓに基づいて音声信号Ｓｓを生成してヘッドホン端子２１（図１，２参照）に出力する。この場合、音声出力部１７ａ，１７ｂは、音量調整部１６から出力された制御信号Ｓｃ３によって指定された音量で音声信号Ｓｓを出力する。受光部１８は、リモコン３から出力された赤外線信号Ｓｉを受光して光電変換することにより、リモコン３による操作内容を示す操作信号Ｓｏを主制御部１９に出力する。
【００１４】
主制御部１９は、本発明における制御部に相当し、受光部１８から出力された操作信号Ｓｏ、つまりリモコン３における各スイッチおよびキーの操作に従って制御信号Ｓｃ１を出力することにより、映像表示処理部１２、選局処理部１３および音量調整部１６を制御する。また、主制御部１９は、リモコン３における表示モード切替スイッチ４５（図２参照）の操作に応じて、１つのテレビ映像Ｐｔを表示部１１に表示させる１画面表示処理、および２つのテレビ映像Ｐｔ，Ｐｔをそれぞれ主画面および副画面として表示部１１に表示させる２画面表示処理を実行する。この場合、主制御部１９は、２画面表示処理の実行時においてリモコン３のカーソルキー４４ａ，４４ｂ（同図参照）が操作されたときに、副画面についてのチャンネル切替をその操作に従って実行する。また、主制御部１９は、２画面表示処理の実行時においてカーソルキー４４ｃ，４４ｄ（同図参照）が操作されたときに、副画面についての音量調整をその操作に従って実行する。
【００１５】
リモコン３は、本発明における操作部に相当し、図２に示すように、本体部２とは別体に構成されている。また、リモコン３は、電源スイッチ４１、チャンネルスイッチ４２，４２・・、音量調整スイッチ４３ａ，４３ｂ（以下、区別しないときには「音量調整スイッチ４３」ともいう）、カーソルキー４４ａ，４４ｂ，４４ｃ，４４ｄ（以下、区別しないときには「カーソルキー４４」ともいう）、表示モード切替スイッチ４５、設定画面表示スイッチ４６および決定スイッチ４７（いずれも本発明におけるスイッチに相当する）などの各種スイッチやキーが配列されて構成され、これらが操作されたときに、各スイッチやキーに対応する操作信号を赤外線信号Ｓｉに変換して出力する。この場合、チャンネルスイッチ４２，４２・・は、１画面表示の実行時においてチャンネル切替に用いられると共に、２画面表示の実行時において主画面についてのチャンネル切替に用いられる。また、音量調整スイッチ４３は、１画面表示の実行時において音量調整に用いられると共に、２画面表示の実行時において主画面についての音量調整に用いられる。さらに、カーソルキー４４ａ〜４４ｄは、本発明における所定のスイッチに相当し、１画面表示の実行時においてチャンネル切替および音量調整以外の操作に割り当てられるスイッチであって、チャンネルのプリセットや、コントラスト等の画質設定の際に用いられる。また、カーソルキー４４ａ，４４ｂは、２画面表示の実行時において副画面についてのチャンネル切替の操作が割り当てられ、カーソルキー４４ｃ，４４ｄは、２画面表示の実行時において副画面についての音量調整の操作が割り当てられる。
【００１６】
次に、テレビ１の全体的な動作について、図面を参照して説明する。このテレビ１では、リモコン３の電源スイッチ４１が操作されたときに、表示部１１の光学エンジン３１に電源が供給されて光源が発光し、主制御部１９が１画面表示処理を実行する。具体的には、主制御部１９は、直前の電源切断時に選択されていたチャンネル（例えばチャンネルＣＨ３）を選局させる制御信号Ｓｃ１を選局処理部１３に出力すると共に、そのチャンネルのテレビ映像Ｐｔを１画面表示（１画面モードで表示）させる制御信号Ｓｃ１を映像表示処理部１２に出力する。また、主制御部１９は、そのチャンネルの音声を直前の電源切断時に設定されていた例えば「１８」の音量レベル（図２に示す音量レベル画像Ｐｖ１参照）で出力させる制御信号Ｓｃ１を音量調整部１６に出力する。次に、選局処理部１３が、制御信号Ｓｃ１に従ってチューナ１４ａおよび映像音声処理部１５ａに制御信号Ｓｃ２を出力する。次いで、チューナ１４ａが、制御信号Ｓｃ２に従ってチャンネルＣＨ３の放送信号Ｓｂを抽出し、映像音声処理部１５ａが、制御信号Ｓｃ２に従って放送信号Ｓｂに基づく映像データＤｐおよび音声データＤｓを映像表示処理部１２および音声出力部１７ａにそれぞれ出力する。
【００１７】
続いて、映像表示処理部１２が、映像データＤｐに基づく表示用信号Ｓｅを生成して表示部１１の光学エンジン３１に出力する。これに応じて、光学エンジン３１が、光源からの光を表示用信号Ｓｅに基づく投射光Ｌに変調してスクリーンパネル３２に投射する。これにより、図２に示すように、チャンネルＣＨ３のテレビ映像Ｐｔ１がスクリーンパネル３２に１画面表示される。一方、音量調整部１６は、主制御部１９から出力された制御信号Ｓｃ１に従い、音声信号Ｓｓを「１８」の音量レベルで出力させる制御信号Ｓｃ３を音声出力部１７ａに出力する。これに応じて、音声出力部１７ａが、映像音声処理部１５ａからの音声データＤｓに基づく音声信号Ｓｓを生成してスピーカ２０に出力する。これにより、チャンネルＣＨ３の音声が「１８」の音量レベルでスピーカ２０から出力される。
【００１８】
次に、例えば、テレビ映像Ｐｔ１に代えて、チャンネルＣＨ１のテレビ映像Ｐｔを１画面表示させるときには、リモコン３におけるチャンネルＣＨ１に対応するチャンネルスイッチ４２（図２に示す「１」の数字が付されたチャンネルスイッチ４２）を操作する。この際に、リモコン３がチャンネルスイッチ４２に対応する赤外線信号Ｓｉを出力し、受光部１８が赤外線信号Ｓｉを受光して操作信号Ｓｏを出力する。次いで、主制御部１９は、操作信号Ｓｏに従い、チャンネルＣＨ１を選局させる制御信号Ｓｃ１を選局処理部１３に出力すると共に、チャンネルＣＨ１のテレビ映像Ｐｔを１画面表示させる制御信号Ｓｃ１を映像表示処理部１２に出力する。また、主制御部１９は、チャンネルＣＨ１の音声を上記の「１８」の音量レベルで出力させる制御信号Ｓｃ１を音量調整部１６に出力する。続いて、映像表示処理部１２、選局処理部１３、チューナ１４ａ、映像音声処理部１５ａ、音量調整部１６、音声出力部１７ａおよび光学エンジン３１が上記と同様に動作することにより、図３に示すように、チャンネルＣＨ１のテレビ映像Ｐｔ２がスクリーンパネル３２に１画面表示されると共に、チャンネルＣＨ１の音声が「１８」の音量レベルでスピーカ２０から出力される（同図に示す音量レベル画像Ｐｖ２参照）。
【００１９】
次に、チャンネルＣＨ１の音量レベルを「１８」から「２０」に増加させるときには、リモコン３の音量調整スイッチ４３ａを操作する。この際に、主制御部１９は、操作信号Ｓｏに従い、音声を「２０」の音量レベルで出力させる制御信号Ｓｃ１を音量調整部１６に出力し、音量調整部１６が制御信号Ｓｃ１に従って制御信号Ｓｃ３を出力する。これに応じて、音声出力部１７ａは、映像音声処理部１５ａからの音声データＤｓに基づく音声信号Ｓｓを「２０」の音量レベルで出力する。これにより、チャンネルＣＨ１の音声が「２０」の音量レベルで出力される（図４に示す音量レベル画像Ｐｖ３参照）。
【００２０】
次いで、例えば、表示中のチャンネルＣＨ１のテレビ映像Ｐｔ２を主画面とし、チャンネルＣＨ６のテレビ映像Ｐｔを副画面として両テレビ映像Ｐｔ，Ｐｔを２画面表示させる（２画面モードに切り替える）ときには、リモコン３の表示モード切替スイッチ４５を操作した後に、チャンネルＣＨ６に対応するチャンネルスイッチ４２（図２に示す「６」の数字が付されたチャンネルスイッチ４２）を操作する。この際に、主制御部１９は、操作信号Ｓｏに従い、２画面表示処理を実行する。この場合、主制御部１９は、チャンネルＣＨ１，ＣＨ６を選局させる制御信号Ｓｃ１を選局処理部１３に出力すると共に、チャンネルＣＨ１，ＣＨ６の各テレビ映像Ｐｔ，Ｐｔを２画面表示させる制御信号Ｓｃ１を映像表示処理部１２に出力する。また、主制御部１９は、チャンネルＣＨ１，ＣＨ６の各音声を現在選択されている「２０」の音量レベルで出力させる制御信号Ｓｃ１を音量調整部１６に出力する。続いて、選局処理部１３が、制御信号Ｓｃ１に従ってチューナ１４ａ，１４ｂおよび映像音声処理部１５ａ，１５ｂに制御信号Ｓｃ２を出力する。
【００２１】
これに応じて、チューナ１４ａがチャンネルＣＨ１の放送信号Ｓｂを抽出し、映像音声処理部１５ａがその放送信号Ｓｂに基づく映像データＤｐおよび音声データＤｓを映像表示処理部１２および音声出力部１７ａにそれぞれ出力する。また、チューナ１４ｂがチャンネルＣＨ６の放送信号Ｓｂを抽出し、映像音声処理部１５ｂがその放送信号Ｓｂに基づく映像データＤｐおよび音声データＤｓを映像表示処理部１２および音声出力部１７ｂにそれぞれ出力する。次いで、映像表示処理部１２が、映像音声処理部１５ａ，１５ｂからそれぞれ出力された映像データＤｐ，Ｄｐに基づいて２画面表示用の表示用信号Ｓｅを生成して光学エンジン３１に出力する。この場合、映像表示処理部１２は、チャンネルＣＨ１のテレビ映像Ｐｔが主画面である旨を示す枠画像Ｐｆ（図５参照）を表示可能に表示用信号Ｓｅを生成する。続いて、光学エンジン３１が表示用信号Ｓｅに基づく投射光Ｌを投射することにより、同図に示すように、チャンネルＣＨ１のテレビ映像Ｐｔ２とチャンネルＣＨ６のテレビ映像Ｐｔ３とがスクリーンパネル３２に２画面表示され、テレビ映像Ｐｔ２の周囲には、枠画像Ｐｆが表示される。
【００２２】
一方、音量調整部１６は、制御信号Ｓｃ１に従って音声出力部１７ａ，１７ｂに制御信号Ｓｃ３を出力する。これに応じて、音声出力部１７ａは、映像音声処理部１５ａからの音声データＤｓに基づく音声信号Ｓｓを「２０」の音量レベルでスピーカ２０に出力する。これにより、チャンネルＣＨ１の音声が「２０」の音量レベル（図５に示す音量レベル画像Ｐｖ４参照）でスピーカ２０から出力される。また、音声出力部１７ｂは、映像音声処理部１５ｂからの音声データＤｓに基づく音声信号Ｓｓを「２０」の音量レベルでヘッドホン端子２１に出力する。この場合、例えば、図１，２に示すヘッドホン４をヘッドホン端子２１に接続することで、チャンネルＣＨ６の音声が「２０」の音量レベル（図５に示す音量レベル画像Ｐｖ５参照）でヘッドホン４から出力される。
【００２３】
次に、表示中のチャンネルＣＨ１のテレビ映像Ｐｔ２に代えて、他のチャンネルのテレビ映像Ｐｔを主画面として表示させるときには、リモコン３のチャンネルスイッチ４２を操作する。この場合、主制御部１９は、２画面表示処理の実行時においてチャンネルスイッチ４２に対応する操作信号Ｓｏが出力されたときには、主画面についてのチャンネル切替が指示されたと判別する。したがって、例えば、チャンネルＣＨ２に対応するチャンネルスイッチ４２（図２に示す「２」の数字が付されたチャンネルスイッチ４２）が操作されたときには、主制御部１９は、チャンネルＣＨ１に代えて、チャンネルＣＨ２を選局させる制御信号Ｓｃ１を選局処理部１３に出力する。また、主制御部１９は、主画面用として現在選択されている「２０」の音量レベルで音声信号Ｓｓを出力させる制御信号Ｓｃ１を音量調整部１６に出力する。
【００２４】
次いで、映像表示処理部１２、選局処理部１３、チューナ１４ａ、映像音声処理部１５ａ、音量調整部１６、音声出力部１７ａおよび光学エンジン３１が上記と同様に動作することにより、図６に示すように、テレビ映像Ｐｔ２に代えて、チャンネルＣＨ２のテレビ映像Ｐｔ４が主画面として表示される。また、チャンネルＣＨ２の音声が、チャンネルスイッチ４２の操作前と同じ「２０」の音量レベル（同図に示す音量レベル画像Ｐｖ６参照）でスピーカ２０から出力される。以下、２画面表示の実行状態においてチャンネルスイッチ４２が操作される度に、主制御部１９は上記と同様の処理を実行する。これにより、チャンネルスイッチ４２の操作に応じて主画面についてのチャンネル切替が行われる。
【００２５】
一方、主画面についての音量レベルを変更するときには、リモコン３の音量調整スイッチ４３を操作する。この場合、主制御部１９は、２画面表示処理の実行時において音量調整スイッチ４３に対応する操作信号Ｓｏが出力されたときには、主画面についての音量を増減する旨が指示されたと判別する。したがって、例えば、音量調整スイッチ４３ａが操作されたときには、主制御部１９は、主画面についての音量を増加させて、例えば「２４」の音量レベルで出力させる制御信号Ｓｃ１を音量調整部１６に出力する。次いで、音量調整部１６および音声出力部１７ａ，１７ｂが上記と同様に動作することにより、チャンネルＣＨ２の音声が、「２４」の音量レベル（図７に示す音量レベル画像Ｐｖ７参照）でスピーカ２０から出力され、チャンネルＣＨ６の音声が、音量調整スイッチ４３ａの操作前と同じ「２０」の音量レベルでヘッドホン端子２１に接続されているヘッドホン４から出力される。以下、２画面表示の実行状態において音量調整スイッチ４３が操作される度に、主制御部１９は、上記と同様の処理を実行する。これにより、音量調整スイッチ４３の操作に応じて主画面についての音量調整が行われる。
【００２６】
次に、表示中のチャンネルＣＨ６のテレビ映像Ｐｔ３に代えて、他のチャンネルのテレビ映像Ｐｔを副画面として表示させるときには、リモコン３のカーソルキー４４ａ（上カーソルキー）またはカーソルキー４４ｂ（下カーソルキー）を操作する。この際に、主制御部１９は、操作信号Ｓｏに従い、図８に示す上下カーソルキー入力判定処理５０を実行する。この上下カーソルキー入力判定処理５０では、主制御部１９は、カーソルキー４４ａ，４４ｂに対応する操作信号Ｓｏが出力されたときに、その時点における表示モードが２画面モードであるか否かを判別する（ステップ５１）。この場合、表示モードが２画面モードであるときには、主制御部１９は、操作信号Ｓｏに従って副画面についてのチャンネル切替処理を実行する（ステップ５２）。具体的には、主制御部１９は、表示モードが２画面モードであるとき、つまり２画面表示処理の実行時において、カーソルキー４４ａに対応する操作信号Ｓｏが出力されたときには、副画面についてのチャンネルをアップさせる旨が指示されたと判別し、カーソルキー４４ｂに対応する操作信号Ｓｏが出力されたときには、副画面についてのチャンネルをダウンさせる旨が指示されたと判別する。したがって、例えば、カーソルキー４４ａが１回操作されたときには、主制御部１９は、チャンネルＣＨ６に代えて、チャンネルＣＨ７を選局させる制御信号Ｓｃ１を選局処理部１３に出力する。また、主制御部１９は、副画面用として現在選択されている「２０」の音量レベルで音声信号Ｓｓを出力させる制御信号Ｓｃ１を音量調整部１６に出力する。
【００２７】
次いで、映像表示処理部１２、選局処理部１３、チューナ１４ｂ、映像音声処理部１５ｂ、音量調整部１６、音声出力部１７ｂおよび光学エンジン３１が上記と同様に動作することにより、図９に示すように、テレビ映像Ｐｔ３に代えて、チャンネルＣＨ７のテレビ映像Ｐｔ５が副画面として表示される。また、チャンネルＣＨ２の音声が、カーソルキー４４ａの操作前と同じ「２４」の音量レベル（同図に示す音量レベル画像Ｐｖ７参照）でスピーカ２０から出力され、チャンネルＣＨ７の音声が、カーソルキー４４ａの操作前と同じ「２０」の音量レベル（同図に示す音量レベル画像Ｐｖ８参照）でヘッドホン端子２１に接続されているヘッドホン４から出力される。以下、２画面表示の実行状態においてカーソルキー４４ａ，４４ｂが操作される度に、主制御部１９は上記と同様のチャンネル切替処理を実行する。これにより、カーソルキー４４ａ，４４ｂの操作に応じて副画面についてのチャンネル切替が行われる。
【００２８】
一方、副画面についての音量レベルを変更するときには、リモコン３のカーソルキー４４ｃ（左カーソルキー）またはカーソルキー４４ｄ（右カーソルキー）を操作する。この際に、主制御部１９は、操作信号Ｓｏに従い、図１０に示す左右カーソルキー入力判定処理６０を実行する。この左右カーソルキー入力判定処理６０では、主制御部１９は、カーソルキー４４ｃ，４４ｄに対応する操作信号Ｓｏが出力されたときに、その時点における表示モードが２画面モードであるか否かを判別する（ステップ６１）。この場合、表示モードが２画面モードであるときには、主制御部１９は、操作信号Ｓｏに従って副画面についての音量調整処理を実行する（ステップ６２）。具体的には、主制御部１９は、表示モードが２画面モードであるとき、つまり２画面表示処理の実行時において、例えば、カーソルキー４４ｃに対応する操作信号Ｓｏが出力されたときには、副画面についての音量を減少させる旨が指示されたと判別し、カーソルキー４４ｄに対応する操作信号Ｓｏが出力されたときには、副画面についての音量を増加させる旨が指示されたと判別する。したがって、例えば、カーソルキー４４ｃが操作されたときには、主制御部１９は、副画面についての音量を減少させて、例えば「１８」の音量レベルで出力させる制御信号Ｓｃ１を音量調整部１６に出力する。次に、音量調整部１６および音声出力部１７ａ，１７ｂが上記と同様に動作することにより、チャンネルＣＨ２の音声が、カーソルキー４４ｃの操作前と同じ「２４」の音量レベルでスピーカ２０から出力され、チャンネルＣＨ７の音声が、「１８」の音量レベル（図１１に示す音量レベル画像Ｐｖ９参照）でヘッドホン端子２１に接続されているヘッドホン４から出力される。以下、２画面表示の実行状態においてカーソルキー４４ｃ，４４ｄが操作される度に、主制御部１９は、上記と同様の音量調整処理を実行する。これにより、カーソルキー４４ｃ，４４ｄの操作に応じて副画面についての音量調整が行われる。
【００２９】
また、例えば、１画面表示および２画面表示の実行時においてチャンネルのプリセットや画質設定などの各種の設定を行うときには、リモコン３の設定画面表示スイッチ４６を操作する。この際に、主制御部１９は、操作信号Ｓｏに従い、１画面表示処理および２画面表示処理を中断すると共に、設定用の画面を表示させる制御信号Ｓｃ１を映像表示処理部１２に出力する。これにより、図１２に示すように、スクリーンパネル３２に設定画面Ｐｓが表示される。次いで、設定画面Ｐｓの指示に従い、カーソルキー４４および決定スイッチ４７等を用いて各種の設定を行う。この場合、主制御部１９は、設定画面Ｐｓを表示させている状態においてカーソルキー４４に対応する操作信号Ｓｏが出力されたときには、上記した上下カーソルキー入力判定処理５０（図８参照）のステップ５１、および上記した左右カーソルキー入力判定処理６０（図１０参照）のステップ６１において、その時点における表示モードが２画面モードではないと判別して、設定画面Ｐｓ内においてカーソルを上下左右に移動させる処理、つまり通常のカーソルキー機能に対応する処理を実行する（上下カーソルキー入力判定処理５０のステップ５３、および左右カーソルキー入力判定処理６０のステップ６３）。したがって、この状態においては、カーソルキー４４が、通常のカーソルキーとして機能する。
【００３０】
このように、このテレビ１によれば、１画面表示処理の実行時にチャンネル切替および音量調整以外の操作に割り当てられるリモコン３のスイッチやキーが２画面表示処理の実行時に操作されたときに、主制御部１９が、副画面についてのチャンネル切替処理および音量調整処理をそのスイッチやキーの操作に従って実行することにより、２画面表示の実行時において、チャンネルスイッチ４２や音量調整スイッチ４３を用いることなく、副画面についてのチャンネル切替および音量調整を行うことができる。このため、主画面および副画面についてのチャンネル切替および音量調整を互いに異なるスイッチやキーの操作で行うことができる。したがって、キー釦の操作時間の長短に基づいてチャンネル切替の対象となる画面が主画面および副画面のいずれであるかが判別される従来のテレビジョン受像機とは異なり、２画面表示の実行時における主画面および副画面についてのチャンネル切替および音量調整を確実かつ容易に行うことができる。
【００３１】
また、このテレビ１では、２画面表示処理の実行時においてカーソルキー４４が操作されたときに、主制御部１９が、副画面についてのチャンネル切替処理および音量調整処理を実行する。この場合、一般的なカーソルキーには矢印が付されているため、チャンネルのアップダウンや音量の増減と各カーソルキーとの対応関係をこの矢印によって直感的に認識させることができる。したがって、このテレビ１によれば、操作ミスを確実に防止することができる。
【００３２】
なお、本発明は、上記の構成に限定されない。例えば、カーソルキー４４を用いて副画面についてのチャンネル切替および音量調整を行う例について上記したが、カーソルキー４４に限定されず、１画面表示の実行時においてチャンネル切替および音量調整以外の操作に割り当てられる任意のスイッチを副画面についてのチャンネル切替および音量調整に用いることができる。この場合、副画面として表示させる映像を外部装置からの映像に切り替える操作等の、チャンネル切替および音量調整以外の操作をこれらのスイッチを用いて行うこともできる。また、カーソルキー４４を用いてチャンネル切替および音量調整の両者を行う例について上記したが、これらのうちの一方だけをカーソルキー４４を用いて行う構成を採用することもできる。
【００３３】
また、カーソルキー４４の操作によってチャンネル切替および音量調整を行う対象を副画面とした例について上記したが、主画面についてのチャンネル切替および音量調整をカーソルキー４４の操作によって行うと共に、副画面についてのチャンネル切替および音量調整をチャンネルスイッチ４２および音量調整スイッチ４３の操作によって行う構成を採用することもできる。また、表示部を備えていない受信装置等に本発明を適用することもできる。また、光学エンジン３１およびスクリーンパネル３２を備えて表示部１１を構成した例について上記したが、表示部として、ＣＲＴ、液晶表示パネルおよびプラズマディスプレイを採用することもできる。
【図面の簡単な説明】
【００３４】
【図１】テレビ１の構成を示すブロック図である。
【図２】テレビ１の正面図である。
【図３】テレビ映像Ｐｔ２の表示画面図である。
【図４】チャンネルＣＨ１の音量レベルを増加させたときの表示画面図である。
【図５】テレビ映像Ｐｔ２，Ｐｔ３が２画面表示されたときの表示画面図である。
【図６】テレビ映像Ｐｔ３，Ｐｔ４が２画面表示されたときの表示画面図である。
【図７】チャンネルＣＨ２の音量レベルを増加させたときの表示画面図である。
【図８】上下カーソルキー入力判定処理５０のフローチャートである。
【図９】テレビ映像Ｐｔ４，Ｐｔ５が２画面表示されたときの表示画面図である。
【図１０】左右カーソルキー入力判定処理６０のフローチャートである。
【図１１】チャンネルＣＨ７の音量レベルを減少させたときの表示画面図である。
【図１２】設定画面Ｐｓの表示画面図である。
【符号の説明】
【００３５】
１  テレビ、３  リモコン、１１  表示部、１９  主制御部、４１  電源スイッチ、４２  チャンネルスイッチ、４３ａ，４３ｂ  音量調整スイッチ、４４ａ〜４４ｄ  カーソルキー、４５  表示モード切替スイッチ、４６  設定画面表示スイッチ、４７  決定スイッチ
【図１】
2006295280.tif 000003
【図２】
2006295280.tif 000004
【図３】
2006295280.tif 000005
【図４】
2006295280.tif 000006
【図５】
2006295280.tif 000007
【図６】
2006295280.tif 000008
【図７】
2006295280.tif 000009
【図８】
2006295280.tif 000010
【図９】
2006295280.tif 000011
【図１０】
2006295280.tif 000012
【図１１】
2006295280.tif 000013
【図１２】
2006295280.tif 000014